(57)【要約】      （修正有）【課題】キャビネットの開口周辺の損傷を防止しつつ、ワゴンを収納部に入れやすく、かつ収納部の奥に向かって円滑に挿入可能なキャビネットを提供する。【解決手段】ワゴン収納部付きキャビネット１の代表的な構成は、ワゴン７を収納しうる収納部２を有し、該収納部２の前面が開口３となっているキャビネット１であって、収納部２の両側の内側面かつ開口近傍にガイド機構４を備え、ガイド機構４は少なくともガイド部材と引張バネとを備え、ガイド部材は、ワゴン７に当接する面が内側面とほぼ平行となる退避位置と、開口３より外側に開いた待受位置とに移動可能であって、引張バネはガイド部材を待受位置に向かって付勢しており、ガイド部材はワゴン７の挿入に伴って待受位置から退避位置に移動することを特徴とする。【選択図】図１
2008000516.tif 000002
【特許請求の範囲】
【請求項１】
ワゴンを収納しうる収納部を有し、該収納部の前面が開口となっているキャビネットであって、
前記収納部の両側の内側面かつ前記開口近傍にガイド機構を備え、
前記ガイド機構は少なくともガイド部材と付勢手段とを備え、
前記ガイド部材は、ワゴンに当接する面が前記内側面とほぼ平行となる退避位置と、前記開口より外側に開いた待受位置とに移動可能であって、
前記付勢手段は前記ガイド部材を待受位置に向かって付勢しており、
前記ガイド部材はワゴンの挿入に伴って待受位置から退避位置に移動することを特徴とするワゴン収納部付きキャビネット。
【請求項２】
請求項１記載のワゴン収納部付きキャビネットにおいて、
一端をキャビネットに相対的に固定して軸支し、他端を前記ガイド部材の奥側端部近傍に回転自在に連結したアーム部材を備え、
前記ガイド部材が退避位置にあるとき前記アーム部材の固定軸は前面側にあり、
待受位置に移動する際には、前記アーム部材が回転することによって、前記ガイド部材は前記開口よりも前面側に向かって突出しつつ、奥側端部が収納部の内側面から離間し、前側端部が前記開口より外側に開くよう移動することを特徴とするワゴン収納部付きキャビネット。
【請求項３】
請求項２記載のワゴン収納部付きキャビネットにおいて、
前記ガイド部材に設けた長穴と、
前記長穴に摺動可能に嵌合された摺動軸と、
前記摺動軸を備えて収納部の前後方向に移動する移動ベースとを備え、
前記移動ベースは前記アーム部材に連結しており、前記アーム部材が前方に向かって回動するに伴って、前方に向かって移動することを特徴とするワゴン収納部付きキャビネット。
【請求項４】
請求項３記載のワゴン収納部付きキャビネットにおいて、
前記長穴には、前記摺動軸が嵌合する凹部を備え、
前記ガイド部材が待受位置にあるときに、前記摺動軸が前記凹部と嵌合することを特徴とするワゴン収納部付きキャビネット。
【請求項５】
請求項１記載のワゴン収納部付きキャビネットにおいて、
前記アーム部材に移動可能に取り付けられた当接部材と、
前記当接部材に当接して前記アーム部材の回動角を規制する規制部とを備え、
前記ガイド部材の待受位置を変更可能であることを特徴とするワゴン収納部付きキャビネット。
【請求項６】
請求項１記載のワゴン収納部付きキャビネットにおいて、
退避位置にある前記ガイド部材とほぼ面一となる当接面を備え、
前記収納部の側面に前後方向に延びて設けられたサイドガイドを備えたことを特徴とするワゴン収納部付きキャビネット。
【請求項７】
キャビネットの収納部の内側面かつ開口近傍に設置されるガイド機構であって、
ワゴンに当接する面が前記内側面とほぼ平行となる退避位置と、前記開口より外側に開いた待受位置とに移動可能なガイド部材と、
前記ガイド部材を待受位置に向かって付勢する付勢手段とを備え、
前記ガイド部材はワゴンの挿入に伴って待受位置から退避位置に移動することを特徴とするワゴン収納ガイド機構。
【発明の詳細な説明】
【技術分野】
【０００１】
本発明は、ワゴンを出し入れ可能な開口を備えたキャビネット、およびワゴンの出し入れの操作性を向上させるためのガイド機構に関するものである。
【背景技術】
【０００２】
従来から、ワゴンがその一部に組み込まれたキャビネット（収納棚）が、台所用や居間用、あるいは事務機器用として提供されている。ワゴンは底部にキャスター（車輪等）を備えており、収納物を積載したままキャビネットから離れて移動可能となっている。
【０００３】
キャビネットにおける収納部は、扉を設けない開口となっている場合が多い。例えば実開昭５８−２９３４１（特許文献１）には、キャビネットの開口に収納した際にキャビネットの前面を構成する前板を取り付けたワゴンが記載されている。
【０００４】
このように出し入れ可能なワゴンを備えたキャビネットにおいては、その課題の一つとして、ワゴンが衝突することによるキャビネットの損傷を防止することがある。これに対し上記の特許文献１には、収納部の内側面にガイド部材を配置し、ワゴンの側板と当接させることにより、ワゴンがキャビネットの内側面に衝突することを防止した構成が記載されている。また特開２０００−２１７６５２（特許文献２）には、収納部の周囲かつほぼ床面に衝突防止用の誘導板をコの字状に配置し、ワゴンがキャビネットの裏板に衝突することを防止した構成が記載されている。
【０００５】
さらに、上記のようなキャビネットのもう一つの課題として、ワゴンの開口への円滑な挿入がある。すなわち、まずワゴンを挿入する際に、ワゴンをキャビネットの開口周辺に衝突させてしまい、キャビネットに傷やへこみなどの損傷を招くおそれがある。またワゴンの方も、キャスターがついているとはいえさほど小回りがきくものでもなく、開口周辺に突き当ててしまうと、一度引いてから挿入しなおさなくてはならないという問題がある。
【０００６】
また、ワゴンを開口よりも奥に向かって挿入して行くに際して、ワゴンのキャスターの進行方向が必ずしも収納部の内側面に沿っているとは限らない。ワゴンがキャビネットの内側面を摺擦すれば、摩擦抵抗により挿入の操作性が悪くなってしまう。これに対し特公昭６１−５２６８１（特許文献３）には、ワゴン下面に設けた車輪を床面に設置したガイドレールによって案内する構成が記載されている。
【特許文献１】実開昭５８−２９３４１号公報
【特許文献２】特開２０００−２１７６５２号公報
【特許文献３】特公昭６１−５２６８１号公報
【発明の開示】
【発明が解決しようとする課題】
【０００７】
本発明は、キャビネットの開口周辺の損傷を防止しつつ、ワゴンを収納部に入れやすく、かつ収納部の奥に向かって円滑に挿入可能なキャビネットを提供することを目的としている。
【課題を解決するための手段】
【０００８】
本発明に係るワゴン収納部付きキャビネットの代表的な構成は、ワゴンを収納しうる収納部を有し、該収納部の前面が開口となっているキャビネットであって、収納部の両側の内側面かつ開口近傍にガイド機構を備え、ガイド機構は少なくともガイド部材と付勢手段とを備え、ガイド部材は、ワゴンに当接する面が内側面とほぼ平行となる退避位置と、開口より外側に開いた待受位置とに移動可能であって、付勢手段はガイド部材を待受位置に向かって付勢しており、ガイド部材はワゴンの挿入に伴って待受位置から退避位置に移動することを特徴とする。
【０００９】
上記構成によれば、キャビネットの収納部の開口近傍を保護しつつ、ワゴン挿入位置の許容範囲を拡大し、かつワゴンの進行方向を収納部の奥に向かって案内することができる。
【００１０】
さらに一端をキャビネットに相対的に固定して軸支し、他端をガイド部材の奥側端部近傍に回転自在に連結したアーム部材を備え、ガイド部材が退避位置にあるときアーム部材の固定軸は前面側にあり、待受位置に移動する際には、アーム部材が回転することによって、ガイド部材は開口よりも前面側に向かって突出しつつ、奥側端部が収納部の内側面から離間し、前側端部が開口より外側に開くよう移動するよう構成することができる。ガイド機構の具体例であって、少ない部品点数でガイド部材に所望の位置を取らせることができる。
【００１１】
さらにガイド部材に設けた長穴と、長穴に摺動可能に嵌合された摺動軸と、摺動軸を備えて収納部の前後方向に移動する移動ベースとを備え、移動ベースはアーム部材に連結しており、アーム部材が前方に向かって回動するに伴って、前方に向かって移動するよう構成することができる。これによりガイド部材をさらに前方へと突出させることができる。
【００１２】
さらに、長穴に摺動軸が嵌合する凹部を備え、ガイド部材が待受位置にあるときに、摺動軸が凹部と嵌合するよう構成することでもよい。これにより、ワゴンがガイド部材に予定外の方向から当接した場合に、ガイド部材が後退してしまうことを防止することができる。
【００１３】
またアーム部材に移動可能に取り付けられた当接部材と、当接部材に当接してアーム部材の回動角を規制する規制部とを備え、ガイド部材の待受位置を変更可能に構成することができる。これにより、共通のガイド機構を用いて、キャビネットの構成に応じてガイド部材の突出量を切り替えることができる。
【００１４】
退避位置にあるガイド部材とほぼ面一となる当接面を備え、収納部の側面に前後方向に延びて設けられたサイドガイドを備えることでもよい。これにより、開口に挿入されたワゴンを収納部の奥に向かって円滑に進入させることができる。
【００１５】
また本発明に係るワゴン収納ガイド機構の代表的な構成は、キャビネットの収納部の内側面かつ開口近傍に設置されるガイド機構であって、ワゴンに当接する面が内側面とほぼ平行となる退避位置と、開口より外側に開いた待受位置とに移動可能なガイド部材と、ガイド部材を待受位置に向かって付勢する付勢手段とを備え、ガイド部材はワゴンの挿入に伴って待受位置から退避位置に移動することを特徴とする。上記構成のガイド機構を取り付けることにより、任意のキャビネットにおいて収納部の開口近傍を保護しつつ、ワゴン挿入位置の許容範囲を拡大し、かつワゴンの進行方向を収納部の奥に向かって案内することができる。
【発明の効果】
【００１６】
本発明によれば、キャビネットの収納部の開口近傍を保護しつつ、ワゴン挿入位置の許容範囲を拡大し、かつワゴンの進行方向を収納部の奥に向かって案内することが可能なワゴン収納部付きキャビネットを提供することができる。
【発明を実施するための最良の形態】
【００１７】
｛第１実施例｝
本発明に係るワゴン収納部付きキャビネット及びワゴン収納ガイド機構の第１実施例について説明する。図１はキャビネットの収納部およびワゴンを説明する図、図２はワゴン収納ガイド機構を説明する図、図３はガイド機構の動作を説明する図である。なお本実施例で記載する具体的な材質、寸法などの数値は、発明の理解を容易とするための例示であって、特に断る場合を除き、本発明を限定するものではない。
【００１８】
図１に示すキャビネット１はキッチンセットであって、ワゴン７を収納する収納部２を備えている。収納部２の前面は開口３となっており、収納部の両側の内側面かつ開口近傍に、それぞれガイド機構４を備えている。ワゴン７の下部には自在キャスター７１が取り付けられており、任意の方向に走行可能となっている。
【００１９】
図２はガイド機構４の構成を説明する図であって、図２（ａ）は要部断面図、図２（ｂ）は要部側面図、図２（ｃ）は外観斜視図である。なお図１に示したように、ガイド機構４は収納部２の両側に配置される。
【００２０】
図２（ａ）に示すように、ガイド機構４は、ガイド部材１０と、付勢手段の例としての引張バネ１１、アーム部材１２を備えている。ガイド部材１０はワゴン７が当接する部材であって、開口３より外側に開いた待受位置（図３（ａ）参照）と、ワゴンに当接する面が内側面とほぼ平行となる退避位置（図３（ｃ）参照）とに移動可能となっている。
【００２１】
具体的には、アーム部材１２が一端をキャビネット１に相対的に固定して軸支し、他端をガイド部材１０の奥側端部近傍に回転自在に連結している。ガイド部材１０が退避位置にあるとき、アーム部材１２の固定軸は前面側にあるよう配置されている。そして引張バネ１１は、ガイド部材１０を開口３より前側に向かって（待受位置に向かって）付勢している。
【００２２】
ガイド部材１０の前面側には長穴１３を設けており、長穴１３には摺動軸１４ａが摺動可能に嵌合されている。摺動軸１４ａは収納部の前後方向に移動する移動ベース１４に設けられている。移動ベース１４はアーム部材１２に連結しており、アーム部材１２が前方に向かって回動するに伴って前方に向かって移動し、後方に向かって回動するに伴って後方に向かって移動するよう構成している。
【００２３】
またガイド機構４は、収納部２の側面に前後方向に延びて設けられたサイドガイド１５を備えている。サイドガイド１５は退避位置にあるガイド部材１０とほぼ面一となる当接面を備えており、収納部２の内部においてワゴンが内側面に衝突することを防止して、開口に挿入されたワゴンを収納部の奥に向かって円滑に進入させることができる。図２（ｂ）に示すように、サイドガイド１５の上下面には突起状の突当部１６を設けており、ワゴン７の側面に設けられたストッパ７２（図１参照）と当接することによりその進入深さを規定する。
【００２４】
次に、ガイド機構４の動作について図３を用いて説明する。図３（ａ）は待受位置にあるときを説明する要部断面図、図３（ｂ）は待受位置と退避位置の中間にあるときを説明する要部断面図、図３（ｃ）は退避位置にあるときを説明する要部断面図である。
【００２５】
ワゴン７が収納部２に挿入されていないときは、図３（ａ）に示すように、ガイド部材１０が引張バネ１１の付勢力によって引っ張られる。するとアーム部材１２が回転することによって、ガイド部材１０は開口３よりも前面側に向かって突出しつつ、奥側端部が収納部２の内側面から離間し、前側端部が開口３より外側に開くよう移動して、待受位置へと到る。このとき、移動ベース１４がアーム部材１２の回動に伴って前面側へと移動することにより、ガイド部材１０をさらに前面側へと突出させることができる。
【００２６】
ガイド部材１０が上記の待受位置にあることにより、開口周辺にワゴン７が衝突することを防止し、これを保護することができる。すなわち、ワゴン７を収納部２へと進入させてきたとき、開口３と位置がずれていたとしても、ワゴン７はガイド部材１０に当接して収納部２へと案内されるため、開口３に衝突することはなく、キャビネット１を損傷することはない。
【００２７】
またワゴン７がガイド部材１０に突き当たると、図３（ｂ）に示すように、ガイド部材１０が待受位置から退避位置へと移動を開始する。これにより、単に固定式のガイドを配置している場合よりも、使用者がワゴン７を押す力を効率的に利用してその進行方向を変更し、収納部２の奥に向かって案内することができる。
【００２８】
そしてワゴンが収納部２の内部へと進入すると、図３（ｃ）に示すように、ガイド部材１０はサイドガイド１５とほぼ面一の退避位置となる。これによりワゴン７はガイド部材１０からサイドガイド１５へと円滑に案内され、ワゴン７のストッパ７２がサイドガイド１５の突当部１６に当接することによって停止する。
【００２９】
すなわち本実施例の構成によれば、ガイド部材１０は、待受位置に置いては開口３の縁部を回り込むように位置し、キャビネット１の収納部２の開口近傍を保護し、かつワゴン挿入位置の許容範囲を拡大することができる。また退避位置に移動する際には、ワゴン７の進行方向を収納部の奥に向かって案内することができる。
【００３０】
また、このようにキャビネット１の開口３の保護と円滑な挿入を可能としたことにより、収納部２に対して可能な限り幅の大きなワゴン７を組み合わせることが可能となる。
【００３１】
なお、上記構成のガイド機構４は、キャビネット１の形態によらず利用することが可能である。従ってガイド機構４のみを提供し、既存の任意のキャビネットに取り付けることによって、本発明の利益を得ることができる。
【００３２】
｛実施例２｝
本発明に係るワゴン収納部付きキャビネット及びワゴン収納ガイド機構の第２実施例について説明する。図４は本実施例に係るガイド機構の構成を説明する図であって、上記第１実施例と説明の重複する部分については同一の符号を付して説明を省略する。
【００３３】
上記第１実施例の構成にあっては、アーム部材１２と連動する移動ベース１４を用いて摺動軸１４ａを押し出すことにより、ガイド部材１０をより前方へと突出させていた。しかしこの構成にあっては、ワゴン７がガイド部材１０に当接した場合にその力が移動ベース１４を介してアーム部材１２へと伝達され、アーム部材１２を回転させるため、ガイド部材１０の回転が開始されてしまう。そのため、ガイド部材１０の退避が円滑であるという利点はあるが、時として開口３の保護が十分でない場合がある。
【００３４】
そこで本実施例においては、図４（ａ）に示すように、長穴１３に摺動軸１４ａが嵌合する凹部１３ａを設けている。凹部１３ａは長穴１３の前面側の辺にあり、かつガイド部材１０が待受位置にあるときに摺動軸１４ａが嵌合する位置に形成している。凹部１３ａの形状は適宜設定することができるが、例えば概略形状を摺動軸１４ａの外周にほぼ沿った形の半円程度の円弧とすることができる。
【００３５】
上記構成により、図４（ｂ）に示すように、ワゴン７がガイド部材１０に当接した場合には、摺動軸１４ａを凹部１３ａ内に押しつける力（嵌合力）が作用する。これにより摺動軸１４ａは、凹部１３ａと噛合すれば長穴１３内を移動しないため、ガイド部材１０は退避位置への移動を開始しにくくなる。
【００３６】
ここで上記嵌合力は、ガイド部材１０とアーム部材１２の接続部を中心とする回転モーメントに等しい。このためワゴン７が当接する位置が接続部から遠いほど大きな嵌合力が作用し、より効果的に移動を規制することができる。また接続部近傍に当接すれば小さな嵌合力しか作用しないため、摺動軸１４ａは凹部１３ａから容易に外れることができ、ガイド部材１０は退避位置へと移動することができる。すなわち、ワゴン７がガイド部材１０に当たる位置が前面側先端（左右方向の外側）であるほど、ガイド部材１０は後退しにくい。ガイド部材１０の後退のしやすさは、凹部１３ａの形状によって設定することができる。
【００３７】
すなわち本実施例の構成によれば、ワゴン７がガイド部材１０に予定外の方向から当接した場合にもガイド部材１０が後退してしまうことを防止して、開口近傍を適切に保護することができる。
｛実施例３｝
本発明に係るワゴン収納部付きキャビネット及びワゴン収納ガイド機構の第３実施例について説明する。図５は本実施例に係るガイド機構の構成を説明する図であって、上記第１実施例と説明の重複する部分については同一の符号を付して説明を省略する。
【００３８】
上記第１実施例の構成にあっては、アーム部材１２と連動する移動ベース１４を用いて摺動軸１４ａを押し出すことにより、ガイド部材１０をより前方へと突出させていた。しかし、必ずしもガイド部材１０を前方に突出させる必要はなく、さらに簡略な構成とすることができる。
【００３９】
図５に示す構成にあっては、第１実施例の構成と比べると、長穴１３、移動ベース１４および摺動軸１４ａを設けていない。ガイド部材１０は待受位置にあるとき、引張バネ１１の付勢力によって、開口３の外側に開いた姿勢を維持する。なお、ガイド部材１０の前方への突出の程度は、ガイド部材１０の奥側の辺と、サイドガイド１５の前面側先端１５ａとの位置関係によって調節することができる。
【００４０】
すなわち本実施例の構成によれば、さらに簡略な構成をもって本発明を実施することができる。
｛実施例４｝
【００４１】
本発明に係るワゴン収納部付きキャビネット及びワゴン収納ガイド機構の第４実施例について説明する。図６は本実施例に係るガイド機構の構成を説明する図であって、上記第１実施例と説明の重複する部分については同一の符号を付して説明を省略する。
【００４２】
上記第１実施例の構成にあっては、ガイド部材１０の待受位置は、長穴１３の端部に摺動軸１４ａが到ることにより規定していた。しかし、収納部２に隣接するものは引き出し１ａのほか、引き出し１ａよりも前方に突出した側面パネル１ｂの場合もある（図１参照）。ここで隣が引き出し１ａの場合にはこれを覆う程度にガイド部材１０を突出させて保護したいが、側面パネル１ｂの場合にはガイド部材１０が衝突すると傷や汚れを生じるために突出量を制限したいという要請がある。すなわち、単一の機構においてガイド部材１０の突出量を切り替え可能に構成できれば簡便である。
【００４３】
そこで本実施例においては、図６に示すように、アーム部材１２に当接部材１８を移動可能に取り付け、ガイド機構４の本体（キャビネット１に固定される部分）に当接部材１８に当接してアーム部材１２の回動角を規制する規制部１７を設けている。
【００４４】
上記構成により、図６（ａ）に示すように隣接するものが引き出しである場合には、当接部材１８を規制部１７に当接しない位置に移動させておく。これによりアーム部材１２は長穴１３の端部に摺動軸１４ａが当接するまで突出し、開口３および引き出し１ａを保護することできる。
【００４５】
そして図６（ｂ）に示すように隣接するものが側面パネル１ｂである場合には、当接部材１８を規制部１７に当接する位置に移動させておく。これによりガイド部材１０はアーム部材１２が規制部１７に当接して回動角を規制された位置が待受位置となる。すなわち、ガイド部材１０の突出量を調節することができ、側面パネル１ｂに衝突して傷や汚れをつけてしまうことを防止することができる。
【００４６】
ただし、図６（ｃ）に示す側面パネル１ｃのように、側面パネルであっても突出する量が少ないものである場合には、ガイド部材１０が側面パネル１ｃに衝突することはない。このような場合には、当接部材１８を規制部１７に当接しない位置に移動させておき、ガイド部材１０を側面パネル１ｃの前面側に回り込ませる。これにより、側面パネル１ｃの前面側にワゴン７が衝突することを防止することができる。
【００４７】
なお、さらに当接部材１８の形状を階段状またはテーパ状とし、複数の位置で規制部１７に対して当接可能に構成することにより、回動可能角を多段階または無段階的に調節することができる。
【００４８】
上記構成によれば、共通のガイド機構４を用いて、キャビネット１の構成に応じてガイド部材１０の突出量（ガイド部材１０の待受位置）を切り替えることができる。
【産業上の利用可能性】
【００４９】
本発明は、ワゴンを出し入れ可能な開口を備えたキャビネット、およびワゴンの出し入れの操作性を向上させるためのガイド機構として利用することができる。
【図面の簡単な説明】
【００５０】
【図１】キャビネットの収納部およびワゴンを説明する図である。
【図２】ワゴン収納ガイド機構を説明する図である。
【図３】ガイド機構の動作を説明する図である。
【図４】第２実施例に係るガイド機構の構成を説明する図である。
【図５】第３実施例に係るガイド機構の構成を説明する図である。
【図６】第４実施例に係るガイド機構の構成を説明する図である。
【符号の説明】
【００５１】
１     …キャビネット
１ａ   …引き出し
１ｂ   …側面パネル
１ｃ   …側面パネル
２     …収納部
３     …開口
４     …ガイド機構
１０   …ガイド部材
１１   …引張バネ
１２   …アーム部材
１３   …長穴
１３ａ  …凹部
１４   …移動ベース
１４ａ  …摺動軸
１５   …サイドガイド
１５ａ  …前面側先端
１６   …突当部
１７   …規制部
１８   …当接部材
７     …ワゴン
７１   …自在キャスター
７２   …ストッパ
【図１】
2008000516.tif 000003
【図２】
2008000516.tif 000004
【図３】
2008000516.tif 000005
【図４】
2008000516.tif 000006
【図５】
2008000516.tif 000007
【図６】
2008000516.tif 000008